(57)【要約】【課題】非接触で信頼性の高い脳波計測が可能で、基準電位の取得が不要な脳波検出手段を提供すること。【解決手段】本発明の脳波計１は、脳波検知用のセンシングデバイスとして高感度な光電界センサー５を１個以上備え、被験者６の脳活動により頭部近傍に生成される脳電界７を光学的に計測することによって、脳波計測、および、取得された脳波からの情報抽出を行う。本発明の脳波計１は、電位ではなく電位の空間微分量である電界を捉えるので、基準電位を用意する必要がなく、かつ、非接触で脳波検知を行うことが可能となる。また、光学的に検知するために電気ノイズの混入が少なく、信頼性の高い脳波取得が可能となる。【選択図】図１
2011136158.tif 000002
【特許請求の範囲】
【請求項１】
被験者の脳波を光電界センサーにより計測する装置において、
前記被験者の脳波から生じる電界を測定する２つのアンテナと、
前記２つの各アンテナに接続された電極間に設置された第１の光導波路と、前記２つの各アンテナに接続された電極間以外の場所に設置された第２の光導波路と、を有する基板と、
前記２つの光導波路を通る光が通過する経路長の差を用いて、脳波から生じる電界の強度を測定する前記光電界センサーと、
を具備する、脳波測定装置。
【請求項２】
さらに、脳波による電界に対して感度を持たない無感度光電界センサーを備え、
前記無感度光電界センサーの信号と、脳波の電界の強度を測定する前記光電界センサーの信号との差を用いて脳波による電界の強度を測定する、請求項１記載の脳波測定装置。
【請求項３】
前記無感度光電界センサーと、脳波を計測する前記電界センサーと、を同一の電気光学結晶の基板上に設置する、請求項２記載の脳波測定装置。
【請求項４】
前記被験者の頭部に前記光電界センサーを複数個設置し、前記各光電界センサーの周囲に、隣接する場所に、前記無感度光電界センサーを備え、
前記被験者の脳波による電界の強度を、前記光電界センサーの信号と、その周囲に設置された複数の前記無感度光電界センサーの信号から、前記被験者の脳波の強度を測定する、請求項２記載の脳波測定装置。
【請求項５】
前記アンテナは、前記被験者の頭皮と平行になるように設置する、請求項１記載の脳波測定装置。
【請求項６】
前記アンテナを前記被験者が運転する車両のヘッドレストに装着し、
前記被験者が車両を運転しているときの脳波を測定し、前記脳波を基に前記被験者の注意散漫の状況を判断する、請求項１記載の脳波測定装置。
【請求項７】
前記アンテナを前記被験者が装着する眼鏡またはヘッドホンに装着する、請求項１記載の脳波測定装置。
【請求項８】
さらに、電界校正手段を有する、請求項１記載の脳波測定装置。
【請求項９】
電界校正手段は、表面が金属で覆われた球状の構造体である、請求項８記載の脳波測定装置。
【発明の詳細な説明】
【技術分野】
【０００１】
本発明は、人や動物などの被験体の体外に設置した１個以上の電界センサーを用いて電界変動を測定することにより、被験体の脳活動によって、脳内神経細胞集団に発生する電気的変動を測定する脳波計に関するものである。
【背景技術】
【０００２】
脳波は脳内神経細胞の活動を直接反映しているため、脳波を計測する脳波計は、脳活動を研究する上での主要な実験手段として適用されている。また、医療分野では、臨床検査装置として適用されている。更に、最近の脳科学の発展にともなって、脳波計は新たなマン・マシン・インターフェイスデバイス（人間と機械との間の情報の入出力デバイス）や、ブレイン・マシン・インターフェイスデバイス（直接脳から機械への情報の入出力を可能とするデバイス）としても、その応用に対する社会的期待が高まってきている。
【０００３】
脳波は脳神経細胞を伝播する電気信号であるため、神経細胞上でさえも、その信号振幅は極めて小さい。従って、正確に脳波を計測するためには、神経細胞や軸索に直接電極を装着し電気信号を取得することが望ましい。しかし、上述の社会的ニーズに応えるためには脳波計の装着は非侵襲でなければならない。一般的に、非侵襲な脳波計は脳神経細胞を流れる電気信号を直接観測できないため、脳神経細胞を流れる電気信号によって外界に誘起される微弱な電磁界を測定しなければならない。このような従来の脳波計としては、上記の微弱な電磁界を頭皮表面の電位として計測しているものがある（特許文献１）。図１０は、特許文献１に記載の従来の脳波計の装置構成を示す概略構成図である。以下、図１０を参照して従来の脳波計の動作を説明する。
【０００４】
図１０において、従来の脳波計１００１は、患者１００６の頭皮１００７に複数の電極１００３を接触させ、患者１００６の身体上における電位変動の少ない部位に設けたGND１００９の電位を基準に、患者１００６頭部の複数部位における電位の時間変化や分布を計測する。各部位の電位は信号線１００４を通して誘導選択器１００２に収集され、収集された電位の解析目的に応じた信号処理が誘導選択器１００２により行われる。そして、最終的な解析結果が記録器１００８に蓄積され、必要に応じて記録紙１００５等の出力媒体により表示される。以上が、従来の脳波計１００１の機能と動作である。
【０００５】
従来の脳波計１００１で用いられる電極１００３の個数は最大で６０個程度であり、それら配置は、例えば国際10-20法（ten-twenty法）等の規格に基づいて、頭部の所定位置に設置されることが多い。また、図１０では基準電位取得用のGND１００９を患者１００６の腕に設けているが、患者１００６の耳や、眉間に設けられる場合が多い。
【先行技術文献】
【特許文献】
【０００６】
【特許文献１】特公平１−２９５６７号公報
【発明の概要】
【発明が解決しようとする課題】
【０００７】
本発明が解決しようとする課題は、測定脳波信号中のノイズの除去である。従来の脳波計１００１が電位計測を基礎としている以上、基準となる電位の設定が必要であり、原理上ＧＮＤ１００９の省略は不可能である。しかし、図１０に記したように、基準電位を患者１００６の身体から取得する従来の脳波計では、基準電位自体が筋電位（電位としては脳波より高電位）などで揺らいでおり、それを基準電位として脳波を測定する従来の脳波計では、必然的に基準電位の揺らぎが脳波に含まれるため、計測された脳波図が脳内神経系を流れる電流を直接表現したものになっていない場合があるという課題を有する。
【０００８】
そこで、本発明は前記従来の課題を解決するものであり、測定脳波信号のノイズを除去することで、脳波計測の精度を向上させることができる。
【課題を解決するための手段】
【０００９】
前記従来の課題を解決するために、本発明の脳波計は、脳活動時に脳内神経系を流れる電流により頭部近傍に誘起される「電界」の時間変動や分布を計測することを第１の特徴とする。そして、前記電界の測定は、ポッケルス効果などの電気光学効果を適用した電界センサーを用いて光学的に行うことを本発明の脳波計におえる第２の特徴とする。すなわち、頭部近傍に配置した電気光学効果を有した媒質に光を入射させ、前記電界により前記媒質中で生じる前記光の変化（光の強度や位相の変化）を観測することにより、脳活動時に脳内神経系を流れる電流を測定、あるいは推定する。
【００１０】
本発明の脳波計は脳内神経系の活動により頭部近傍に生成された電界を測定するため、基準電位を取得する必要がなく第１の課題を克服することができる。また、頭部に非接触で脳内神経系を流れる電流を直接反映している脳電界を直接観測することが可能となるために、リアルタイムで脳内神経系を流れる電流の時間変動を観測することができる。しかも、非接触・非侵襲であるために、装着感に優れ、小型かつ低コストで脳波計を提供することができる。
【００１１】
更に、上記従来例に見られる誘導選択器１００２と電極１００３間の電気的配線を全て光ファイバ等の光学的配線で行えるため、電気的ノイズの混入が低減され、高精度な脳波計測が可能となる。
【発明の効果】
【００１２】
本発明の脳波計によれば、測定脳波信号のノイズを除去することで、脳波計測の精度を向上させることができる。
【図面の簡単な説明】
【００１３】
【図１】本発明の実施の形態１における脳波計の装置構成を示す概略構成図
【図２】本発明の実施の形態１における第１の光電界センサーの装置構成を示した概略構成図
【図３】本発明の実施の形態２における脳波計に適用される光電界センサーの概略構成図
【図４（Ａ）】リブ導波路（ステップ型光導波路の一種）におけるブラッグ反射鏡３３の１例を示した概略構成図
【図４（Ｂ）】グレーデッド型光導波路におけるブラッグ反射鏡３３の１例を示した概略構成図
【図５】本発明の実施の形態３における脳波計に適用される光電界センサーの概略構成図
【図６】本発明の実施の形態１における脳波計をより高精度にするための、モニター用センサーの配置を示した概略構成図
【図７】本発明の実施の形態１における脳波計を更に高精度にするための、光電界センサー内部へのモニター用センサーの配置を示した概略構成図
【図８】本発明の実施の形態１において、メガネを支持体とした脳波計の構成を示した概略構成図
【図９】本発明の実施の形態１において、ヘッドホンを支持体とした脳波計の構成を示した概略構成図
【図１０】特許文献１に記載の従来の脳波計の装置構成を示す概略構成図
【図１１】本発明の実施の形態１において、自動車運転席のヘッドレストを支持体とした脳波計の構成を示した概略構成図
【図１２】本発明の実施の形態１において、脳電界をベクトル量として取得するための光電界センサーの装置構成を示した概略構成図
【図１３】本発明の実施の形態４における脳波計１３１を示した概略構成図
【発明を実施するための形態】
【００１４】
以下本発明の実施の形態について、図面を参照しながら説明する。
【００１５】
（実施の形態１）
図１は、本発明の実施の形態１における脳波計の装置構成を示す概略構成図である。図１において、実施の形態１における脳波計１は、脳波検出部２と脳波解析部３の２構成要素に大別される。まず、脳波検出部２の構成について説明する。
【００１６】
脳波検出部２は、支持体４により保持された１個以上の光電界センサー５と１個以上のモニター用センサー１５、および、各光電界センサー５への光の入出力を行うための光ファイバ８から構成される。被験者６の脳の活動状況に応じて脳内神経系に流れる電流分布によって生じる電界（以下、脳電界７と略称する）の電界分布を乱さないように、支持体４は、低誘電率・低誘電損失性の誘電体材料（例えば、ポリテトラフルオロエチレンが適する）から作成されている。
【００１７】
光電界センサー５は、支持体４により被験者６の頭部近傍に保持され、脳電界７を光学的に検出する。なお、光電界センサーの頭部近傍における保持位置は、被験者６の頭皮に接触させても、非接触であってもよい。本実施の形態においては、光電界センサー５は、電界印加時に電気光学結晶に生じるポッケルス効果を用いて脳電界７を検出することを測定原理としている。ポッケルス効果とは、等方的強誘電体の電気光学結晶に電界が印加された場合、この電界のベクトルの向きと同方向に偏波面を有する光の屈折率が、前記電界強度に応じて変化する現象を言う。ポッケルス効果では、前記屈折率の変化量が電界の強度の１次に比例するので、屈折率変化は電界強度と比例関係にある。従って、本実施の形態では、脳電界７によって、光電界センサー５中の電気光学結晶に生じるポッケルス効果によって引き起こされる電気光学結晶の屈折率変化を光学的に検出する（その検出方法の詳細は後述する）ことにより、脳電界７の計測を行う。
【００１８】
次に、脳波解析部３について、図１を参照して説明する。脳波解析部３は、構成要素の１つとして単色光光源９を含む。単色光光源９は、例えば、近赤外レーザー光のような干渉性の高い光線（以下、単色光と略称）を発生する。単色光光源９から発せられた単色光は、光ファイバ８により各光電界センサー５に供給される。そして、各光電界センサー５においてポッケルス効果により脳電界７の時間変動に応じて変調された単色光は、光ファイバ８により脳波解析部３の光電変換部１０に導かれ、この単色光の光強度に比例した振幅値を持った電気信号に変換される。電気信号の変換素子としては、例えば、ＰＩＮダイオードなどの光から電気への変換特性の時間変動が少ないフォトダイオードが適用可能である。前述の電気信号は、信号増幅部１１で増幅された後、フィルタ１２によりノイズ等の不要信号成分が除去され、信号処理部１３に集められる。信号処理部１３は、脳電界７の情報を担った電気信号から所望の情報を抽出する機能を有する。また、信号処理部１３は、抽出された情報を基に、実施の形態における脳波計１に接続された外部機器１４を制御する機能、および、被験者６への情報入力機器として動作する刺激手段１６と連動して事象関連波形などのデータ収集を行う機能も有することができる。
【００１９】
脳波は数Hzから１kHz程度の低周波数信号であるので、脳電界７の検出感度の向上や、脳電界７から抽出された情報の確度を高める上で、測定データから、光電界センサー５自身が持つ出力値の揺らぎや、環境変動の影響による光電界センサー５の出力値の揺らぎを除去しておくことが重要である。そこで、本実施の形態においては、脳電界７に影響を受けないモニター用センサー１５は、光電界センサー５の出力値の揺らぎを検出する。そして、その結果を基に信号処理部１３は、上記の要因（環境変動，光電界センサー５自身の特性変動）により生じる測定誤差を抑圧する。特に、ポッケルス効果を生じる電気光学結晶は帯電性や焦電性が高く、電気光学結晶の温度上昇や振動・応力印加などにより帯電するため、脳波のような低周波数信号を取得する場合、不要信号が混入しやすい。そこで、本実施の形態においては、より信頼性の高い脳波取得を行う場合には、図６に示すように、各光電界センサー５に隣接させてモニター用センサー１５を配置する。各光電界センサー５近傍において、環境変動により各光電界センサー５自身が受ける電界のノイズを常時観測し、その結果を基に、取得された脳波データを補正することによって、より高い信頼性をもった脳波取得が可能となる。
【００２０】
このように、モニター用センサー１５は、光電界センサー５を用いることを特徴とした本発明の脳波計に特有の課題である耐環境性を高めるために必要な構成要素である。
【００２１】
次に、図２を用いて本実施の形態における第１の光電界センサーの構成を説明する。図２は、本発明の実施の形態１における第１の光電界センサーの装置構成を示した概略構成図である。図１において、本発明の実施の形態１における光電界センサー２１は、光干渉計部２２とアンテナ部２３より構成される。まず、光干渉計部２２の構成について説明する。
【００２２】
光干渉計部２２は、電気光学結晶であるニオブ酸リチウムやタンタル酸ニオブ酸カリウムなどの単結晶薄膜や単結晶基板（以下では基板２４と略称）上に光導波路２５を形成することによって構成したマッハツェンダー干渉計である。光導波路２５には、Ｔｉイオンの熱拡散などのプロセスで基板２４を部分的（１次元状）に高屈折率にして、高屈折率部に光を閉じ込めて伝播させるグレーデッド型光導波路を適用できる。また、基板表面に１次元状のリブやリッジ構造や誘電体ストリップを装荷するなどのいわゆるステップ型光導波路、ならびに、これらの両構造を併せ持った光導波路など、単色光光源９から出射される単色光の波長においてシングルモード光導波路（周波数を固定した場合、ただ１種類の導波光のみ伝播しうる光導波路。なお、導波光の類別は偏波と波数によりなされる。）として動作する光導波路を全て適用することができる（光導波路の可能な構造は、例えば、小柴  正則  著，“先端技術シリーズＢ２[エレクトロニクス]光導波路解析（第２刷）”，朝倉書店，ＩＳＢＮ  ４−２５４−２０８０２−２，１９９６年９月１日，５頁〜７頁を参照）。なお、図２の基板２４の面内方向に偏光面を持つＴＥモードを導波しうるように光導波路２５の構造を最適化することによって、光電界センサー２１の感度を高めることができる。このような光導波路構成において高感度になる理由は、基板２４へ印加される電界ベクトルの方向と、光導波路２５を伝播する光の電界ベクトルの方向が一致するためである。
【００２３】
図２の構成においては、本発明の実施の形態１における光電界センサー２１の感度を高めるために、光導波路２５と同様に、光ファイバ２６，２７は、単色光光源９から出射される単色光の波長において偏波面保持シングルモード光ファイバが最適である。ここで、シングルモードの定義は上述のシングルモード光導波路に同じである。また、偏波面保持とは、光ファイバに入射した直線偏波単色光が光ファイバのもう一方の端面において直線偏波として出力されることを言う。これによって、光ファイバ２６，２７と光導波路２５との間の光の入出力が低損失で行えるようになり、光電変換部１０へ到達する光量が増えるため、脳波計１の脳電界７に対する感度が高まる。なお、光ファイバ２６，２７と光導波路２５の位置決めは、低損失な光の入出力の実現のために重要である。これは、マイクロマシン技術などの微細加工技術により光導波路２５に対して正確に位置決めがなされたＶ溝を用意し、光ファイバ２６，２７を前記Ｖ溝に固定する方法のほか、従来の光ファイバと光導波路間の光結合方法が等しく適用可能である。また、光ファイバ２６，２７の偏波面と、光導波路２５を導波する光の偏波面の一致は、アンテナ部２３に電界が印加されていない状態において、基板２４に対して光ファイバ２６，２７の中心軸を回転軸として、各光ファイバ２６，２７を独立に回転させ、光ファイバ２７からの出射光強度が最大値をとるようにすればよい。なお、偏波面保持光ファイバを光ファイバ２６，２７に適用することにより得られる他の利点としては、光導波路２５ではなく基板２４中を導波する伝播モードを抑圧できることにある。これによって、よりノイズの少ない脳波計測が可能となる。
【００２４】
光ファイバ２６から光導波路２５へ供給された光は、図２に向かって左側の光導波路２５上のＹ字状の分岐において同一強度の２つの光に分割され、それぞれ、参照経路２８と検出経路２９を通過する。その後、両光は、図２に向かって右側の光導波路２５上のＹ字状の分岐において重畳されるが、重畳後の光量は前記両光の位相差に依存して変動する（すなわち干渉する）。この位相差は、参照経路２８と検出経路の２８の光学長差で決定される。光学長は参照経路２８と検出経路の２８経路物理的な長さに、導波路２５中を導波するシングルモード光が感受する屈折率を掛けたもので定義される。図２において、検出経路２９の近傍に、アンテナ部２３の２つの金属板２９，３０に接続された電極３１がある。脳電界７の影響により金属板２９，３０において逆相の電位が発生した場合、電極３１間にも電位が生じるために、基板２４の面に平行で図２の上下方向に平行な向きの電界が電極３１間に生成される。従って、前記電界の存在によってポッケルス効果が生じ、検出経路２９を導波する光の屈折率が参照経路２８の屈折率と異なるようになる。このようにして、上述の光学長差が脳電界７の大きさ・強度により変化するため、光ファイバ２７へ出力される光量変動を脳波解析部３で検出・解析すれば脳波を観測することができる。
【００２５】
図２に示した本発明の実施の形態１における光電界センサー２１は、脳電界７による光ファイバ２７への出力光強度の変動を介して脳波を測定する。そのため、高感度化の観点から考えると、できる限り高強度の単色光を光ファイバ２６から入射させ、干渉光をできる限り低損失で光ファイバ２７から脳波検出部に導くことが重要である。この観点において、図２に示した光電界センサー５の構成は最適である。なぜならば、単色光光源９から光電界センサー５を経て光電変換部１０までの経路において挿入すべき光学素子の点数を減らすことが可能だからである。
【００２６】
より高い信頼性をもった脳波を取得することができる、モニター用センサー１５の配置方法について図６を用いて述べる。図２で説明した本実施の形態における光電界センサー５の構成を応用することによって、更に高い信頼性を持った脳波取得を可能にするモニター用センサー１５の配置が実現できる。本装置の測定対象である脳電界７は微弱な電界であるため、周囲の電界等の影響を受けやすい。そこで、本光電界センサーとは別に、新たに、周囲環境の電界を測定するために、脳波による電界に対して感度をもたない無感度光電界センサーを、モニター用センサーとして設置する。特に、脳波の電界を測定する光電界センサーに対して近い位置に無感度光電界センサーを設置する。本光電界センサーで検出される信号と、無感度光電界センサーで検出される信号と、の差分の信号に対して処理を行うことで、脳波以外から生じる電界の影響を除去することが可能になる。
【００２７】
また、一方で、光干渉計自体の個体差によるノイズの影響もある。そこで、図７に示したように、光干渉計部２２内に、電界検出用干渉計７３に加え、新たにモニター用センサー１５としてモニター用干渉計７４を配置する。モニター用干渉計７４は脳電界７を基板２４に引き込むためのアンテナと電極を持たないため、脳波の電界に対して感度をもたない無感度光電界センサーとなる。このように、本装置構成では、同一基板上にモニター用センサー１５を設けるので、環境変動の影響のみならず、光電界センサー５の特性の個体差も補正可能となる。なお、モニター用干渉計７４の付加により、新たに光ファイバ７１，７２の接続が必要となる。
【００２８】
また、脳内の電流により発生する電界は、脳の様々な部分で発生している。そこで、図６に示すように、複数箇所において、光電界センサー５を設置し、異なる部分で発生する電界を測定できるようにすることで、より高精度に計測することが可能になる。更に、光電界センサーを複数個所設けることの利点は、本実施の形態においても、量子干渉計を用いた脳磁図測定装置（例えば、特許文献：特公第２７５１４０８号公報を参照）と同様に、頭部周囲の電界ベクトルから逆に脳内の大まかな電流分布（電流双極子分布）を測定しうる点である。このような高精度な測定を可能にするためには、各光電界センサー５間の特性を揃えて置くことが重要である。そこで、本実施の形態においては、複数箇所に設置された光電界センサー５ごとに無感度光電界センサーで構成されるモニター用センサーを設置することで、異なる場所で発生する環境によるノイズを減少させることが可能になる。
【００２９】
本実施の形態における脳波計の最大の特徴は、従来技術のように脳波を電位ではなく電界として捉えることにある。そのため、複数箇所に光電界センサーを設置しても、被験者の負担になることは少ない。従来までの、電位を測定するタイプの脳波計測の場合には、複数箇所に対して、各場所の設置状況を確認する必要があり、さらに、複数箇所に設置された電極の場合には、被験者が頭部を動かすと、設置されている電極がはずれ、正確な測定が困難になる場合が多い。一方で、本脳波計測装置においては、光電界センサーを複数個設置した場合でも、被験者が設置状況を確認する必要がなく、さらに、頭部を移動させた場合でも、電極の離脱等を考慮する必要がなくなる。
【００３０】
また、脳波による電界を計測する本装置と、物理量として電位を計測する従来までの脳波計との大きな相違は、被測定量にある。具体的には、従来装置の測定電位はスカラー量であるのに対して、本装置の測定対象である電界はベクトル量である。従って、本装置では、新たな脳活動の解析指標として、電界の方向の時間変動やその空間分布を用いることも考えられる。そこで、図１２に示すように、脳電界７をベクトル量として捉えるために、３方向（図中ｘ，ｙ，ｚ軸で示した）の電界を取得できるよう、３組（計６枚）の金属板３０を１つの光電界センサー５に設ける。これと共に、一つの基板上に３方向毎の電界検出用干渉計７３を配置する。そして、アンテナとなる金属板の１つを脳の頭皮と平行になるように設置することで、脳波による電界を精度よく、測定することが可能になる。さらに、図１２に示す装置は、同一基板２４上にモニター用干渉計７４も備えており、高い信頼性を持った脳波の取得が可能な構成となっている。また、図１２の光電界センサー５では、４組（計８本）の光ファイバ１２１が接続されている。
【００３１】
従来の構成と異なり、頭部周囲の電界ベクトル分布を測定可能な本実施の形態の脳波計は、従来の脳波計では実現不可能な次の利点を有する。それは、測定された電界ベクトル分布より、脳内の活性部位を特定し、その部位において発生した電流分布を近似的に推定することができる点である。電磁界理論で知られるように、閉曲面上の電界ベクトル分布が確定すると、閉曲面内のどの点における電界も求めることができる。従って、脳内の電荷・電流分布の形状（例えば、ダイポールや４重極子などの多重極子、あるいは、それらの線形結合）を仮定すれば、電荷・電流分布を逆に求めることができる。
【００３２】
本実施の形態の脳波計がもつこの特徴は、電荷・電流分布が直接生成するのは電位ではなく、電界ベクトルであるという事実に起因する。従って、従来の電位検知型の脳波計では実現困難な特徴である。
【００３３】
以上のように、実施の形態１で述べた光電界センサー５により、脳活動により生じる電位ではなく電界を通じて脳波計測が可能となるため、被験者の身体から基準電位を取得する必要がなくなる。そのため、確度の高い脳波計測が可能となる。
【００３４】
なお、本実施の形態において、アンテナ部２３は金属板２９，３０により構成されていたが、ロッドアンテナや、折り返しアンテナ等であっても良い。脳電界７は低周波電界であり、光電界センサー５は波源（被験者６頭部）の極近傍に位置するため、脳電界７と良好に電磁界結合できるアンテナ部２３であれば、どのような構成であっても等しく本実施の形態の脳波形として適用できる。
【００３５】
また、本実施の形態において、光導波路２５は、基板２４上で光学系が構成できるよう１次元状に光を束縛し導波させることが可能な光導波路構造であれば全て適用可能であることは言うまでもない。このような光導波構造としては、例えば、２次元フォトニック結晶による線欠陥導波路があるが、これも本実施の形態として適用可能である（２次元フォトニック結晶による線欠陥導波路の詳細については、例えば、Kiyotoshi Yasumoto, “Electromagnetic theory and applications for photonic crystals,” CRC Press, ISBN 0-8493-3677-5, pp.415-444，2006を参照）。
【００３６】
更に、実施の形態１における脳波計１は、図１では被験者６の頭部全体を覆うように光電界センサー５を配置している様子を記した。しかしながら、頭部特定部位の脳波のみが必要とされるシステムに実施の形態１における脳波計１を適用する場合、前記特定部位の近傍にのみ光電界センサー５を配置する装置構成にしてもよいことは言うまでもない。その場合、支持体４は、図１に記した構造のものを使用する必要はなく、例えば、眼鏡（図８参照）や、ヘッドホン（図９参照）のようなフィット感・ファッション性に優れた構成も可能であることはいうまでもない。これは、従来までの電位を測定する脳波計の場合には、被験者の肌に接触する必要があるのに対して、本装置は、電界を計測するため、被験者の肌に接触する必要は、必ずしもない。そのため、眼鏡やヘッドホン、帽子等の被験者の頭部近くに装着する日常品に、本光電界センサー５を付与することで、被験者の脳波を、電界を用いて計測することが可能になるものである。
【００３７】
また、自動車運転時における運転者１１１の後頭部の脳波のみが必要とされる状況においては、運転席のヘッドレスト（図１１参照）に光電界センサー５を装着することも可能である。これにより、運転者の脳波を、運転者に接触することなく、測定することが可能になる。自動車運転時において、運転者が注意散漫な状況にあるか否かを、運転者の視線の情報と、運転者の脳波の情報を利用して検出することが考えられる。具体的には、運転者が看板や歩行者を認識するときには、視線が一旦停止し、その後数１００ｍ秒後に、脳波に信号が検出される。もし、視線が停止しても、脳波に信号が検出されない場合には、その視線の先にあるものを認識していない可能性がある。これを注意散漫の状態と判断する。このように、運転者が注意散漫な状態にあるときには、運転者に対して注意のメッセージを表示することが考えられる。
【００３８】
このようなシステムを構築するためには、運転者の視線情報は、車内に設置されたカメラ等により、運転者の黒目部分を検出することで、運転者に負荷をかけることなく測定できる。一方、従来までの脳波測定装置は、運転者の脳皮に電極を設置する必要があり、運転者が、運転席に座るたびに、電極を設置することは、運転者に負荷をかけることになる。一方、本装置を運転席のヘッドレスト内または、ヘッドレストの表面に装着しておくことにより、運転者の頭部で発生される電界を運転者と接触することなく、計測することが可能になり、従来までの電位測定タイプの脳波計測装置のように、運転者に負荷をかけることなく、運転者の脳波を測定することが可能になる。このように、本脳波計測装置を用いれば、運転者の脳波を頭部に電極を接触させることなく、脳波の状態を計測できることにより、運転者の注意散漫を、運転者に負荷をかけることなく、実現することができるようになる。
【００３９】
（実施の形態２）
本実施の形態における脳波計の全体構成は、光電界センサー５の内部構成を除き、図１に示した実施の形態１における脳波計１と同一であるので、詳細な説明を省略する。図３は、本発明の実施の形態２における脳波計に適用される光電界センサーの概略構成図である。図３においても、図１および図２と同じ構成要素については同じ符号を用いるとともに同一構成要素の詳細な説明を省略する。
【００４０】
図３に示した本発明の実施の形態２における光電界センサー３２と、図２に示した本発明の実施の形態１における光電界センサー２１との相違は、後者がマッハツェンダー干渉計であったの対して、前者がマイケルソン干渉計である点である。そのため、本実施の形態における脳波計の脳波解析部３と、本発明の実施の形態２における光電界センサー３２との光の入出力は、１本の光ファイバ２６により行われる。
【００４１】
参照経路２８、および、検出経路２９の光導波路２５は末端を持ち、末端部にはブラッグ反射鏡３３が設けられている。ブラッグ反射鏡３３は光導波路２５を伝播してきた光を全反射する機能を有する。ここで、ブラッグ反射鏡３３の好適な例を図４に示す。図４（Ａ）はリブ導波路（ステップ型光導波路の一種）におけるブラッグ反射鏡３３の１例を示した概略構成図、図４（Ｂ）はグレーデッド型光導波路におけるブラッグ反射鏡３３の１例を示した概略構成図である。図４に示したように、両光導波路とも光導波路上に周期構造を設けることによってブラッグ反射鏡３３を構成している。単色光光源９からの出射光の光導波路２５中での波長の整数倍に前記周期構造の周期が一致する時、前記周期構造は反射鏡として機能する。そして、周期構造の繰り返し回数が多ければ多いほど反射率は増大し反射損失が少なくなるために、本発明の実施の形態２における光電界センサー３２の感度劣化を抑圧することができる。
【００４２】
図３に戻り、本実施の形態の利点について述べる。本実施の形態においては、検出経路２９を伝播する光は電極３１を往復２回通過するため、単色光光源９の出力が一定かつ電極３１の長さが一定の場合、実施の形態１にくらべ２倍の検出感度が得られるという利点を有する。従って、本実施の形態におけるこの利点を用いれば、光電界センサーの小型化が可能である。以上が、第２の実施の形態が有する特徴である。
【００４３】
図３において、光導波路２５は基板２４上で光干渉計を構成するための光導波構造であり、光を１次元状に束縛する光導波構造であれば全て等しく適用可能であることは言うまでもない。例えば、２次元フォトニック結晶による線欠陥導波路であっても、本発明の目的を良好に実現しうることは言うまでもない。
【００４４】
図４においてはブラッグ反射鏡３３を、光導波路２５に対するエッチングプロセスによる周期構造の付加により構成している例を示した。ブラッグ反射鏡３３は、光導波路近傍に散乱体を周期的に配置して、各散乱体より生成される光導波路を逆向きに進行する光を同相合成し、強めあうことによって反射波を生成している。従って、光導波路２５に付加される周期構造の幾何学的構造はどのようなものであってもブラッグ反射鏡３３として動作することは言うまでもない。例えば、誘電体パターンの積層や金属パターンを用いて周期構造を構成しても、ブラッグ反射鏡３３として動作する。なお、光導波路２５として２次元フォトニック結晶による線欠陥導波路を用いる場合は、線路の特性上、特に周期構造を負荷せずとも単なる終端構造で反射器として動作する。
【００４５】
（実施の形態３）
本実施の形態における脳波計の全体構成は、光電界センサー５の内部構成を除き、図１に示した実施の形態１における脳波計１と同一であるので、詳細な説明を省略する。図５は、本発明の実施の形態３における脳波計に適用される光電界センサーの概略構成図である。図５においても、図１，図２、および、図３と同じ構成要素については同じ符号を用いるとともに、同一構成要素の詳細な説明を省略する。
【００４６】
図５に示した本発明の実施の形態３における光電界センサー５１と、図２示した本発明の実施の形態１における光電界センサー２１、および、図３に示した本発明の実施の形態２における光電界センサー３２の相違は、後者がそれぞれマッハツェンダー干渉計、および、マイケルソン干渉計であったの対して、前者がフィゾー干渉計である点である。図５より分かるように、本実施の形態も実施の形態２と同様に、本実施の形態における脳波計の脳波解析部３と、本発明の実施の形態２における光電界センサー３２との間の光の入出力は、１本の光ファイバ２６により行われる。
【００４７】
本実施の形態における光干渉計上の大きな特徴は、干渉計が１本の光導波路２５より構成されている点である。光導波路２５の末端近傍にはブラッグ反射鏡３３が、そして、電極３１を挟んでブラッグ半透鏡５２が光導波路２５上に形成されている。実施の形態２で述べたように、ブラッグ反射鏡３３は、光導波路２５を図５に向かって左側から右方向に進行してくる光を完全反射させる機能を有する。ブラッグ半透鏡５２も、ブラッグ反射鏡３３と全く同様な素子構造（周期構造）を有するが、周期構造の繰り返し回数を減らして反射率を下げることによって半透鏡として動作させることができる。この装置構成により、光ファイバ２６から光導波路２５に入射した光の一部は、ブラッグ半透鏡５２により光ファイバ２６に反射されるが、残りの光はブラッグ半透鏡５２を透過する。ブラッグ半透鏡５２を透過した光はブラッグ反射鏡３３で反射されて再びブラッグ半透鏡５２に戻るが、導波してきた光の一部はブラッグ半透鏡５２を透過し、ブラッグ半透鏡５２での直接反射光と重畳することになり干渉する。以上のようにして生成された干渉光は、再び光ファイバ２６を経由し脳波解析部３に導かれ、脳波の取得や取得された脳波から脳活動の情報が抽出される。干渉光の強度は、ブラッグ半透鏡５２を透過し、次にブラッグ反射鏡３３で反射され、再びブラッグ半透鏡５２に戻るまでに光が経由する光路長（＝経路の物理長×屈折率）に依存する。図５の構成においては、アンテナ部２３で検出された脳電界７により電極３１間に生成される電界のために生じるポッケルス効果で、前記光路長が変動するため、脳電解７の変動に応じて前記干渉光強度が変動する。
【００４８】
本干渉計の利点は、参照光（光ファイバ２６からの入射光の中で、ブラッグ半透鏡５２で反射される光）と、プローブ光（光ファイバ２６からの入射光の中で、ブラッグ半透鏡５２を透過し、次にブラッグ反射鏡３３で反射され、再びブラッグ半透鏡５２を透過する光）が同一経路を進むため、周囲環境の影響を受けにくく、高安定な光干渉計部２２を構成できる点である。従って、本実施の形態を適用することにより、周囲環境の影響を受けにくい信頼性の高い脳波計測が可能な脳波計を提供することができる。
【００４９】
なお、図５において、光導波路２５は基板２４上で光干渉計を構成するための光導波構造であり、光を１次元状に束縛する光導波構造であれば、全て等しく適用可能であることは言うまでもない。例えば、２次元フォトニック結晶による線欠陥導波路であっても、本発明の目的を良好に実現しうることは言うまでもない。
【００５０】
（実施の形態４）
上でも述べたように本発明の脳波計の最大の特徴は、脳波を電位ではなく電界として測定することにある。電界はベクトル量であるので、その方向の同定が重要である。本発明の脳波計で用いられている光電界センサーは、電界ベクトルの変化量に対してのみ感度を持つため、電界ベクトルの方向や大きさの絶対測定を行うためには、光電界センサーの校正が必要である。本実施の形態の脳波計は、電界ベクトルの校正手段を有する点が最大の特徴である。
【００５１】
図１３は、本発明の実施の形態４における脳波計１３１を示した概略構成図である。脳波計１３１の全体構成は、電界校正手段１３２以外は図１に示した実施の形態１における脳波計１と同一であるので、同一構成要素の詳細な説明を省略する。また、脳電界７を電界ベクトル量として測定するに適するよう、モニター用センサー１５の配置は図６に示した装置構成となっている。
【００５２】
実施の形態４における脳波計１３１は、電界校正手段１３２を備えている。電界校正手段１３２は、望ましくは、表面が金属で覆われた球状の構造体であり、脳波解析部３から所望の電荷が供給される。以上の構成を有する電界校正手段１３２の周囲は、球状の構造体の中心から放射方向に、中心からの距離に反比例する電界ベクトルが生成される。また、電界ベクトルの大きさは球状構造体に供給された電荷の総量から求められる。このように、電界校正手段１３２の周囲には定まった電界ベクトル分布が生成されるので、光電界センサー５の校正に用いることができる。
【００５３】
校正は以下のように行う。被験者６の測定を行う前に、光電界センサー５を電界校正手段１３２の所定の場所に配置する。そして、各光電界センサー５で電界ベクトルを測定する。電界校正手段１３２の球状の構造体の中心に対する各光電界センサー５の位置と向きが予め分かっている。すなわち、その位置・向きにおける電界ベクトル（以下、基準電界ベクトルと呼ぶ）は予め分かっているので、各光電界センサー５の出力が基準電界ベクトルを示すよう信号処理部１３で補正を行う。このような校正を、電界校正手段１３２に対する各光電界センサー５の位置を変えて複数回行い、各光電界センサー５の出力が基準電界ベクトルに等しくなるようにして、最終的な補正値を決定する。
【００５４】
以上の校正により、各光電界センサー５の測定値は正確な電界ベクトルとなる。従って、実施の形態１で述べたように、測定された電界ベクトル分布より、脳内の活性部位を特定し、その部位において発生した電流分布を近似的に推定することができる。
【００５５】
なお、モニター用センサー１５の役割は隣接する光電界センサー５の特性変動を補正するためのものである。したがって、光電界センサー５では電界校正手段１３２の代用ができない。
【００５６】
また、電界校正手段１３２の形状は球形でなくともよいことは言うまでもない。基準電界ベクトルが算定し易い形状であれば、いずれの形状でも等しく使用できる。
【００５７】
また、本願記載の発明により、被験者の頭部に非接触で脳波計測が可能となるので、装着感に優れるとともに、直ちに脳波計測を開始できる。一般的に、脳活動により頭皮１００７上に現われる電位は20〜70μV程度の微弱な電圧信号である。従って、良好な脳波測定を実施するためには、頭皮１００７と電極１００３との良好な電気的接触は非常に重要である。そこで、従来の脳波計１００１では、患者１００６の頭皮１００７への電極１００３の固定は、専用の導電性ペーストによる接着や、特殊な帽子を用いて圧着することにより行われている。しかしながら、前者の固定方法を用いる場合、接着場所の頭髪を取り除いた上で、導電性ペーストを用いて円盤電極や皿状電極を１つずつ頭皮１００７に接着するため、装着感に優れない上に計測に多くの時間を要する。また、後者の固定方法を採用する場合、頭髪を避けて頭皮１００７と電極１００３の接触を良くするために、鋭い先端形状を有した電極形状にしたり、スポンジに電解質溶液を満たした電極を用いたりするため装着感に優れない。これに対して、本願発明によれば、装着感に優れるとともに、直ちに脳波計測を開始できる。
【００５８】
更に、本願発明により、小型・低コスト性を両立することができる。
【００５９】
一般的に、頭皮表面の電位計測を測定原理とする従来の脳波計では、頭皮との良好な電気的接触の実現のために上記の第２の課題が発生している。しかしながら、頭皮に接触することなく脳活動を測定する脳活動計測手段が存在しており、それらを適用すれば第２の課題を回避することができる。そのような非接触な脳活動計測手段としては、例えば、脳内神経系を流れる電流により生成される磁場を超伝導量子干渉計で測定する方法や、ヘモグロビンやミオグロビンが酸素と結合した時としない時とで近赤外領域での吸光特性が異なること、及び、近赤外は生体組織での減衰が少ないことを利用した近赤外分光法による脳血流測定がある。しかしながら、前者は非常に微弱な磁場計測を行わなければならず、必然的に高精度な磁気遮蔽環境と量子素子の冷却環境の実現に高いコストを要する上に装置が大型化する。また、後者は脳血流を検知する方法であるため、脳活動そのものを観測する脳波計に比べ時間的分解能と即時性に劣り、例えば事象関連電位などで測定される外部刺激に対する脳の過渡応答の観測が不可能である。
【００６０】
これに対して、本願発明により、小型・低コスト性を両立することができる。更に、光学的に脳波を検知するので、電気的ノイズの混入が少なく信頼性の高い脳波測定を行うことができる。
【００６１】
なお、本願実施の形態に記載の脳波計の各部が行っている機能を実現させる脳波計測方法に関しても、上述の脳波計と同様の効果を奏する。
【産業上の利用可能性】
【００６２】
本発明の脳波計は、非接触かつ高確度な脳波計測を可能とするため、デジタル家電機器や遊技機のユーザー・インタフェース等として有用である。また、ユーザーの心理状況を把握するためのセンシング機器等にも応用できる。更に、筋電位計（ただし、電位を測るのではなく電界を介しての測定）としても有用である。
【符号の説明】
【００６３】
１    実施の形態１における脳波計
２    脳波検出部
３    脳波解析部
４    支持体
５    光電界センサー
６    被験者
７    脳電界
８，２６，２７，７１，７２，１２１    光ファイバ
９    単色光光源
１０    光電変換部
１１    信号増幅部
１２    フィルタ
１３    信号処理部
１４    外部機器
１５    モニター用センサー
１６    刺激手段
２１    本発明の実施の形態１における光電界センサー
２２    光干渉計部
２３    アンテナ部
２４    基板
２５    光導波路
２８    参照経路
２９    検出経路
３０    金属板
３１    電極
３２    本発明の実施の形態２における光電界センサー
３３    ブラッグ反射鏡
５１    本発明の実施の形態３における光電界センサー
５２    ブラッグ半透鏡
７３    電界検出用干渉計
７４    モニター用干渉計
１１１    運転者
１３１    実施の形態４における脳波計
１３２    電界校正手段
１００１    従来の脳波計
１００２    誘導選択器
１００３    電極
１００４    信号線
１００５    記録紙
１００６    患者
１００７    頭皮
１００８    記録器
１００９    ＧＮＤ
【図１】
2011136158.tif 000003
【図２】
2011136158.tif 000004
【図３】
2011136158.tif 000005
【図４（Ａ）】
2011136158.tif 000006
【図４（Ｂ）】
2011136158.tif 000007
【図５】
2011136158.tif 000008
【図６】
2011136158.tif 000009
【図７】
2011136158.tif 000010
【図８】
2011136158.tif 000011
【図９】
2011136158.tif 000012
【図１０】
2011136158.tif 000013
【図１１】
2011136158.tif 000014
【図１２】
2011136158.tif 000015
【図１３】
2011136158.tif 000016